【手続補正書】
【提出日】平成30年1月12日(2018.1.12)
【手続補正１】
【補正対象書類名】特許請求の範囲
【補正対象項目名】全文
【補正方法】変更
【補正の内容】
【特許請求の範囲】
【請求項１】
各フレームが複数の光線空間情報を有する画像からなる動画を取得する取得手段と、
前記動画の各フレームに対して合焦距離を設定する設定手段とを有し、
前記設定手段は、前記動画のフレームごとに設定可能な合焦距離の範囲を表示することを特徴とする情報処理装置。
【請求項２】
さらに、前記動画の各フレームの画像に対して前記設定手段により設定された合焦距離に変更した画像を生成する生成手段と、
前記生成手段により生成された画像を表示部に表示する表示制御手段とを有することを特徴とする請求項１に記載の情報処理装置。
【請求項３】
前記設定手段は、前記動画の各フレームに対する合焦距離の範囲と時間軸とからなる設定エリアを表示し、
前記設定エリアは、ユーザによる合焦距離の設定操作を受け付け可能であることを特徴とする請求項２に記載の情報処理装置。
【請求項４】
前記設定手段は、前記動画の各フレームに対して設定された合焦距離と、各フレームの画像が撮影されたときの合焦距離とを識別可能に前記設定エリアに表示することを特徴とする請求項３に記載の情報処理装置。
【請求項５】
前記設定手段は、当該設定手段により設定可能な合焦距離の最大値および最小値を時間軸に沿って前記設定エリアに表示し、
前記動画の各フレームの画像が撮影されたときの合焦距離をフレームごとに時間軸に沿って前記設定エリアに表示することを特徴とする請求項３または４に記載の情報処理装置。
【請求項６】
前記設定手段は、前記動画の各フレームに対して少なくとも１点に合焦距離が設定可能であり、前記動画の各フレームの画像が撮影されたときの合焦距離と当該合焦距離に隣接する前記設定手段により設定された合焦距離とを繋いだ線を前記設定エリアに表示することを特徴とする請求項３ないし５のいずれか１項に記載の情報処理装置。
【請求項７】
前記設定手段は、前記設定手段により設定可能な合焦距離の範囲内で前記合焦距離の最大値および最小値を変更可能であり、
前記設定手段は、変更された前記合焦距離の最大値および最小値を前記設定エリアに表示することを特徴とする請求項５または６に記載の情報処理装置。
【請求項８】
前記設定手段は、前記動画の各フレームに対して最大の奥行き距離と前記合焦距離の最大値とを比較し、前記合焦距離の最大値の方が大きい場合に合焦距離の設定を不可とする範囲を前記設定エリアに表示することを特徴とする請求項５ないし７のいずれか１項に記載の情報処理装置。
【請求項９】
前記動画の各フレームの画像から被写体を指定する指定手段をさらに有し、
前記設定手段は、前記動画の各フレームに対して前記指定手段により指定された被写体の合焦距離を前記設定エリアに表示することを特徴とする請求項３ないし８のいずれか１項に記載の情報処理装置。
【請求項１０】
前記生成手段は、前記設定手段により合焦距離が変更された画像から前記取得手段が取得した動画とは異なる形式の画像を生成することを特徴とする請求項２ないし９のいずれか１項に記載の情報処理装置。
【請求項１１】
取得手段が、各フレームが複数の光線空間情報を有する画像からなる動画を取得するステップと、
設定手段が、前記動画の各フレームに対して合焦距離を設定するステップとを有し、
前記設定するステップでは、前記動画のフレームごとに設定可能な合焦距離の範囲を表示することを特徴とする情報処理装置の制御方法。
【請求項１２】
コンピュータを、請求項１ないし１０のいずれか１項に記載の情報処理装置の各手段として機能させるためのプログラム。
【請求項１３】
コンピュータを、請求項１ないし１０のいずれか１項に記載の情報処理装置の各手段として機能させるためのプログラムを記憶したコンピュータによる読み取りが可能な記憶媒体。
【手続補正２】
【補正対象書類名】明細書
【補正対象項目名】００１９
【補正方法】変更
【補正の内容】
【００１９】
ハードディスクドライブ（以下、ＨＤＤ）１０５は、上記アプリケーションやＯＳなどの制御プログラムや動画（後述するライトフィールド動画を含む）や静止画などのコンテンツデータを格納する大容量記憶装置である。
【手続補正３】
【補正対象書類名】明細書
【補正対象項目名】００２９
【補正方法】変更
【補正の内容】
【００２９】
図２に示すように、ＰＣ１００上で動画編集アプリケーションが起動されると、表示装置１１０にアプリケーション画面２００が表示される。アプリケーション画面２００は、ＨＤＤ１０５や記録媒体１１１から読み込まれたライトフィールド動画や既存の圧縮符号化方式で生成された動画ファイルを一覧表示するファイル表示エリア２１０を含む。アイコン２１１は、複数の動画を、シーン単位や編集単位でまとめたグループごとに名称が付記されている。図２では、「ｓｃｅｎｅ＿０１」のグループは、４つの動画（ＡＡＡＡ、ＢＢＢＢ、ＣＣＣＣ、ＤＤＤＤは動画名称）を含んでいる。ユーザは上記グループ別に、カット編集を実施する。プレビューエリア２２０には、ユーザによって選択された動画が再生表示される。図では、プレビューエリア２２０には、手前、中央、奥にそれぞれ人物２２１、２２２、２２３が存在し、背景に壁２２４が存在するライトフィールド動画が表示されている。コントロールボタン２３０は、プレビューエリア２２０に表示中の動画の再生の開始、（一時）停止、早送り、巻き戻しなどの操作を行うためのＧＵＩである。タイムラインエリア２４０は、ＨＤＤ１０５や記録媒体１１１から読み込まれた動画のフレームの再生順序や再生区間などの再生タイミング２４１を表示するためのＧＵＩである。上記タイムライン２４０へ動画を追加するには、ファイル表示エリア２１０に表示中の動画アイコン２１１をタイムライン２４０にドラッグ＆ドロップすることで可能である。また、タイムラインエリア２４０へのドラッグ操作により、タイムラインエリア２４０へ動画を追加した後の再生タイミングの変更が可能である。設定エリア２５０には、動画の各フレームに対する合焦距離を設定、表示するためのＧＵＩが表示される。設定エリア２５０は、合焦位置（被写体）までの距離を縦軸、録画時間を横軸とする領域であり、タイムライン２４０に追加された動画の再生タイミングに対応づけて、動画の各フレームの合焦距離を設定し、表示することが可能である。なお、設定エリア２５０の縦軸には、タイムライン２４０に追加された動画中の被写体に対して合焦可能な最大距離（１０ｍ）２５１と最小距離（０．５ｍ）２５２が表示される。図２では、合焦可能な距離として０．５ｍから１０ｍまで合焦距離を設定することが可能である。設定エリア２５０における合焦距離の設定操作の詳細については後述する。バー２６０は、タイムラインエリア２４０において現在の再生位置を示す指標である。
【手続補正４】
【補正対象書類名】明細書
【補正対象項目名】００６６
【補正方法】変更
【補正の内容】
【００６６】
図７（ｂ）は、ステップＳ６０５の処理後の設定エリア２５０の表示例である。アプリケーション画面２００で区間１を再生する場合、ＣＰＵ１０１は、再生位置におけるフレームのライトフィールドデータに対し、ＲＡＭ１０２から取得した当該フレームに対する合焦距離に合焦する画像を生成してプレビューエリア２２０に表示する。再生時に毎回画像を生成せず、再生前に各フレームに対する画像を生成しておき、画像データをＲＡＭ１０２やＨＤＤ１０５に格納するようにしても良い。図７（ｂ）の区間１を再生すると、人物２２１、人物２２２、人物２２１の順にフォーカスが移動する動画がプレビューエリア２２０に表示される。
【手続補正５】
【補正対象書類名】明細書
【補正対象項目名】００８０
【補正方法】変更
【補正の内容】
【００８０】
ステップＳ９０８では、ＣＰＵ１０１は、ステップＳ９０３で取得した２つの隣接する節点に対し、左側の節点おける合焦距離Ｌａと、右側の節点における合焦距離Ｌｂをそれぞれ取得する。
【手続補正６】
【補正対象書類名】明細書
【補正対象項目名】００９２
【補正方法】変更
【補正の内容】
【００９２】
ステップＳ９３２では、ＣＰＵ１０１は、左側に隣接する節点の最小合焦距離Ｌａｌを取得する。
【手続補正７】
【補正対象書類名】図面
【補正対象項目名】図６
【補正方法】変更
【補正の内容】
【図６】
2016136699.tif 000001